(57)【要約】【課題】  既存の部品表管理サーバに対する機能変更を最小限に抑えながら部品表テーブルをマトリック形式により表示させ、また、クライアント端末の操作により新規の部品表データを追加する。【解決手段】  ポータルサーバ２は、同一のグループに属する製品についてアプリケーションサーバ（部品表管理サーバ）３より取得した部品表データを、子製品に対応する見出しデータを重複なく行方向に、親製品に対応する見出しデータを列方向に配置し、対応するマトリックス上のセルには親製品を構成する子製品の数量データを配置するようクライアント端末１へ表示する。そして、クライアント端末１に対し、マトリックスを表示した状態で、マトリックス上に新規の親製品のための列を編集した結果を表示し、当該列に新規の親製品を構成する子製品を編集させ、この編集に基づく部品表データの登録をアプリケーションサーバ３に指示する。【選択図】    図１
2005293223.tif 000002
【特許請求の範囲】
【請求項１】
親製品のデータと前記親製品を構成する子製品のデータとを関連付けて保持する部品表データを記憶する部品表管理サーバと、前記部品表管理サーバとはネットワークにより接続され、前記部品表データの表示に関する画面の制御を行うポータルサーバとからなる部品表管理システムであって、
前記ポータルサーバは、
同一のグループに属する製品について前記部品表管理サーバより取得した部品表データを、前記子製品に対応する見出しデータを重複なく行方向に、前記親製品に対応する見出しデータを列方向に配置し、前記子製品に対応する見出しデータと前記親製品に対応する見出しデータとに対応するマトリックス上のセルには、当該親製品を構成する当該子製品の数量データを配置するように表示するデータ表示手段と、
前記マトリックスを表示した状態で、前記マトリックス上に新規の親製品のための列を編集した結果を表示する編集画面表示手段と、
前記マトリックスを表示した状態で、前記新規の親製品のための列に当該新規の親製品を構成する子製品を編集させ、この編集に基づく部品表データの登録を前記部品表管理サーバに指示するデータ操作指示手段とを備える、
ことを特徴とする部品表管理システム。
【請求項２】
前記編集画面表示手段は、前記マトリックスを表示した状態で、前記マトリックス上に子製品を追加または削除する親製品のための列を編集した結果を表示し、
前記データ操作指示手段は、前記マトリックスを表示した状態で、子製品を追加または削除する前記親製品のための列に当該親製品を構成する子製品を編集させ、この編集に基づく部品表データの変更を前記部品表管理サーバに要求する、
ことを特徴とする請求項１に記載の部品表管理システム。
【請求項３】
親製品のデータと前記親製品を構成する子製品のデータとを関連付けて保持する部品表データを記憶する部品表管理サーバと、前記部品表管理サーバとはネットワークにより接続され、前記部品表データの表示に関する画面の制御を行うポータルサーバとからなる部品表管理システムであって、
前記ポータルサーバは、
同一のグループに属する製品について前記部品表管理サーバより取得した部品表データを、前記子製品に対応する見出しデータを重複なく行方向に、前記親製品に対応する見出しデータを列方向に配置し、前記子製品に対応する見出しデータと前記親製品に対応する見出しデータとに対応するマトリックス上のセルには、当該親製品を構成する当該子製品の数量データを配置するように表示するデータ表示手段と、
親製品の属するグループ及び当該親製品を構成する子製品を編集させるための編集フィールドを表示する編集画面表示手段と、
新規あるいは既存の親製品が属するグループ、及び、当該親製品を構成する子製品を前記編集フィールドに編集させ、この編集に基づく部品表データの更新を前記部品表管理サーバに指示するデータ操作指示手段とを備える、
ことを特徴とする部品表管理システム。
【請求項４】
前記子製品に対応する見出しデータを列方向に、前記親製品に対応する見出しデータを行方向に配置する、ことを特徴とする請求項１から請求項３のいずれかの項に記載の部品表管理システム。
【請求項５】
親製品のデータと前記親製品を構成する子製品のデータとを関連付けて保持する部品表データを記憶する部品表管理サーバと、前記部品表管理サーバとはネットワークにより接続され、前記部品表データの表示に関する画面の制御を行うポータルサーバとからなる部品表管理システムの前記ポータルサーバに用いられる部品表管理方法であって、
同一のグループに属する製品について前記部品表管理サーバより取得した部品表データを、前記子製品に対応する見出しデータを重複なく行方向に、前記親製品に対応する見出しデータを列方向に配置し、前記子製品に対応する見出しデータと前記親製品に対応する見出しデータとに対応するマトリックス上のセルには、当該親製品を構成する当該子製品の数量データを配置するように表示するデータ表示過程と、
前記マトリックスを表示した状態で、前記マトリックス上に新規の親製品のための列を編集した結果を表示する編集画面表示過程と、
前記マトリックスを表示した状態で、前記新規の親製品のための列に当該新規の親製品を構成する子製品を編集させ、この編集に基づく部品表データの登録を前記部品表管理サーバに指示するデータ操作指示過程と、
からなることを特徴とする部品表管理方法。
【請求項６】
前記編集画面表示過程において、前記マトリックスを表示した状態で、前記マトリックス上に子製品を追加または削除する親製品のための列を編集した結果を表示し、
前記データ操作指示過程において、前記マトリックスを表示した状態で、子製品を追加または削除する前記親製品のための列に当該親製品を構成する子製品を編集させ、この編集に基づく部品表データの変更を前記部品表管理サーバに要求する、
ことを特徴とする請求項５に記載の部品表管理方法。
【請求項７】
親製品のデータと前記親製品を構成する子製品のデータとを関連付けて保持する部品表データを記憶する部品表管理サーバと、前記部品表管理サーバとはネットワークにより接続され、前記部品表データの表示に関する画面の制御を行うポータルサーバとからなる部品表管理システムの前記ポータルサーバに用いられる部品表管理方法であって、
同一のグループに属する製品について前記部品表管理サーバより取得した部品表データを、前記子製品に対応する見出しデータを重複なく行方向に、前記親製品に対応する見出しデータを列方向に配置し、前記子製品に対応する見出しデータと前記親製品に対応する見出しデータとに対応するマトリックス上のセルには、当該親製品を構成する当該子製品の数量データを配置するように表示するデータ表示過程と、
親製品の属するグループ及び当該親製品を構成する子製品を編集させるための編集フィールドを表示する編集画面表示過程と、
新規あるいは既存の親製品が属するグループ、及び、当該親製品を構成する子製品を前記編集フィールドに編集させ、この編集に基づく部品表データの更新を前記部品表管理サーバに指示するデータ操作指示過程と、
からなることを特徴とする部品表管理方法。
【請求項８】
前記子製品に対応する見出しデータを列方向に、前記親製品に対応する見出しデータを行方向に配置する、ことを特徴とする請求項５から請求項７のいずれかの項に記載の部品表管理方法。
【請求項９】
親製品のデータと前記親製品を構成する子製品のデータとを関連付けて保持する部品表データを記憶する部品表管理サーバと、前記部品表管理サーバとはネットワークにより接続され、前記部品表データの表示に関する画面の制御を行うポータルサーバとからなる部品表管理システムの前記ポータルサーバに用いられるコンピュータプログラムであって、
同一のグループに属する製品について前記部品表管理サーバより取得した部品表データを、前記子製品に対応する見出しデータを重複なく行方向に、前記親製品に対応する見出しデータを列方向に配置し、前記子製品に対応する見出しデータと前記親製品に対応する見出しデータとに対応するマトリックス上のセルには、当該親製品を構成する当該子製品の数量データを配置するように表示するデータ表示ステップと、
前記マトリックスを表示した状態で、前記マトリックス上に新規の親製品のための列を編集した結果を表示する編集画面表示ステップと、
前記マトリックスを表示した状態で、前記新規の親製品のための列に当該新規の親製品を構成する子製品を編集させ、この編集に基づく部品表データの登録を前記部品表管理サーバに指示するデータ操作指示ステップと、
の各処理をコンピュータに実行させることを特徴とするコンピュータプログラム。
【請求項１０】
前記編集画面表示ステップにおいて、前記マトリックスを表示した状態で、前記マトリックス上に子製品を追加または削除する親製品のための列を編集した結果を表示し、
前記データ操作指示ステップにおいて、前記マトリックスを表示した状態で、子製品を追加または削除する前記親製品のための列に当該親製品を構成する子製品を編集させ、この編集に基づく部品表データの変更を前記部品表管理サーバに要求する、
ことを特徴とする請求項９に記載のコンピュータプログラム。
【請求項１１】
親製品のデータと前記親製品を構成する子製品のデータとを関連付けて保持する部品表データを記憶する部品表管理サーバと、前記部品表管理サーバとはネットワークにより接続され、前記部品表データの表示に関する画面の制御を行うポータルサーバとからなる部品表管理システムの前記ポータルサーバに用いられるコンピュータプログラムであって、
同一のグループに属する製品について前記部品表管理サーバより取得した部品表データを、前記子製品に対応する見出しデータを重複なく行方向に、前記親製品に対応する見出しデータを列方向に配置し、前記子製品に対応する見出しデータと前記親製品に対応する見出しデータとに対応するマトリックス上のセルには、当該親製品を構成する当該子製品の数量データを配置するように表示するデータ表示ステップと、
親製品の属するグループ及び当該親製品を構成する子製品を編集させるための編集フィールドを表示する編集画面表示ステップと、
新規あるいは既存の親製品が属するグループ、及び、当該親製品を構成する子製品を前記編集フィールドに編集させ、この編集に基づく部品表データの更新を前記部品表管理サーバに指示するデータ操作指示ステップと、
の各処理をコンピュータに実行させることを特徴とするコンピュータプログラム。
【請求項１２】
前記子製品に対応する見出しデータを列方向に、前記親製品に対応する見出しデータを行方向に配置する、ことを特徴とする請求項９から請求項１１のいずれかのに記載のコンピュータプログラム。
【発明の詳細な説明】
【技術分野】
【０００１】
本発明は、部品表管理システム及び方法ならびにコンピュータプログラムに関する。
【背景技術】
【０００２】
従来、製品や半製品等を構成する部品表（ＢＯＭ：Bill Of Materials）は、上位の製品についてその製品を構成する下位の製品や半製品が何であるかを示す親子関係として表現され、管理されている。また、部品表が仕向別の構成をとる場合、仕向を部品表グループとして関連付けるマスターデータを用いてグループ化し、構成される。このような部品表グループを用いた仕向別の構成部品を表示する場合、各製品の親子関係をたどっていき、見つかった製品や半製品などの構成部品を順次表示している。この表示イメージ例を図１７に示す。同図において示されるように、同じ構成部品であっても、数量が異なると違った品目（Item）として表示されている。
また、仕向の追加や、構成部品の変更を行う際には、仕向単位で個別に部品表データの編集を行っている。
【０００３】
一方、特許文献１及び２には、複数の製品の部品表データをマトリックス上に表示する構成が記載されている。また、特許文献３には、部品の親子関係をマトリックス上に記憶する構成が記載されている。
【特許文献１】特開２００１−２８２３４３号公報
【特許文献２】特開２０００−１４８８１４号公報
【特許文献３】特開平９−３４９３３号公報
【発明の開示】
【発明が解決しようとする課題】
【０００４】
上述する従来技術においては、各仕向が同じ構成部品を持つ場合であっても、構成部品の数量が異なると違う品目として表示されてしまう。そのため、仕向別の構成がわかりにくいという問題がある。また、部品表データの編集時には、編集する仕向の構成部品の設定画面が個別に表示されるだけで、同じ部品表グループにおける仕向別の共通部品や固有部品の見極めが難しい、という問題がある。
そこで、特許文献１〜３に記載されている技術は、部品表データをマトリックス上に表示したり、部品の親子関係をマトリックス上に記憶している。しかし、特許文献１〜３においては、部品表データの表示・編集画面の追加や変更を行う場合に、部品表データのデータ構成やユーザインタフェースへの変更が発生するため、部品表を管理する部品表管理サーバへの機能変更が大きくなってしまう。
【０００５】
本発明は、このような事情に鑑みてなされたものであり、部品表データを保持する既存の部品表管理サーバに対する機能変更を最小限に抑えながら、部品表管理サーバの出力する部品表テーブルをマトリック形式によりクライアント端末へ表示させ、また、クライアント端末の操作により新規の部品表データを追加することのできる部品表管理システム及び方法ならびにコンピュータプログラムを提供することを目的とする。
【課題を解決するための手段】
【０００６】
上記した課題を解決するために請求項１に記載の発明は、親製品のデータと前記親製品を構成する子製品のデータとを関連付けて保持する部品表データを記憶する部品表管理サーバ（３）と、前記部品表管理サーバ（３）とはネットワークにより接続され、前記部品表データの表示に関する画面の制御を行うポータルサーバ（２）とからなる部品表管理システムであって、前記ポータルサーバ（２）は、同一のグループに属する製品について前記部品表管理サーバ（３）より取得した部品表データを、前記子製品に対応する見出しデータを重複なく行方向に、前記親製品に対応する見出しデータを列方向に配置し、前記子製品に対応する見出しデータと前記親製品に対応する見出しデータとに対応するマトリックス上のセルには、当該親製品を構成する当該子製品の数量データを配置するように表示するデータ表示手段（２３）と、前記マトリックスを表示した状態で、前記マトリックス上に新規の親製品のための列を編集した結果を表示する編集画面表示手段（２４）と、前記マトリックスを表示した状態で、前記新規の親製品のための列に当該新規の親製品を構成する子製品を編集させ、この編集に基づく部品表データの登録を前記部品表管理サーバ（３）に指示するデータ操作指示手段（２５）とを備える、ことを特徴とする部品表管理システムである。
【０００７】
請求項２に記載の発明は、請求項１に記載の部品表管理システムであって、前記編集画面表示手段（２４）は、前記マトリックスを表示した状態で、前記マトリックス上に子製品を追加または削除する親製品のための列を編集した結果を表示し、前記データ操作指示手段（２５）は、前記マトリックスを表示した状態で、子製品を追加または削除する前記親製品のための列に当該親製品を構成する子製品を編集させ、この編集に基づく部品表データの変更を前記部品表管理サーバ（３）に要求する、ことを特徴とする。
【０００８】
請求項３に記載の発明は、親製品のデータと前記親製品を構成する子製品のデータとを関連付けて保持する部品表データを記憶する部品表管理サーバ（３）と、前記部品表管理サーバ（３）とはネットワークにより接続され、前記部品表データの表示に関する画面の制御を行うポータルサーバ（２）とからなる部品表管理システムであって、前記ポータルサーバ（２）は、同一のグループに属する製品について前記部品表管理サーバ（３）より取得した部品表データを、前記子製品に対応する見出しデータを重複なく行方向に、前記親製品に対応する見出しデータを列方向に配置し、前記子製品に対応する見出しデータと前記親製品に対応する見出しデータとに対応するマトリックス上のセルには、当該親製品を構成する当該子製品の数量データを配置するように表示するデータ表示手段（２３）と、親製品の属するグループ及び当該親製品を構成する子製品を編集させるための編集フィールドを表示する編集画面表示手段と（２４）、新規あるいは既存の親製品が属するグループ、及び、当該親製品を構成する子製品を前記編集フィールドに編集させ、この編集に基づく部品表データの更新を前記部品表管理サーバ（３）に指示するデータ操作指示手段（２５）とを備える、ことを特徴とする部品表管理システムである。
【０００９】
請求項４に記載の発明は、請求項１から請求項３のいずれかの項に記載の部品表管理システムであって、前記子製品に対応する見出しデータを列方向に、前記親製品に対応する見出しデータを行方向に配置する、ことを特徴とする。
【００１０】
請求項５に記載の発明は、親製品のデータと前記親製品を構成する子製品のデータとを関連付けて保持する部品表データを記憶する部品表管理サーバ（３）と、前記部品表管理サーバ（３）とはネットワークにより接続され、前記部品表データの表示に関する画面の制御を行うポータルサーバ（２）とからなる部品表管理システムの前記ポータルサーバ（２）に用いられる部品表管理方法であって、同一のグループに属する製品について前記部品表管理サーバ（３）より取得した部品表データを、前記子製品に対応する見出しデータを重複なく行方向に、前記親製品に対応する見出しデータを列方向に配置し、前記子製品に対応する見出しデータと前記親製品に対応する見出しデータとに対応するマトリックス上のセルには、当該親製品を構成する当該子製品の数量データを配置するように表示するデータ表示過程（ステップＳ１４５、Ｓ１５０）と、前記マトリックスを表示した状態で、前記マトリックス上に新規の親製品のための列を編集した結果を表示する編集画面表示過程（ステップＳ２２５、Ｓ２３０）と、前記マトリックスを表示した状態で、前記新規の親製品のための列に当該新規の親製品を構成する子製品を編集させ、この編集に基づく部品表データの登録を前記部品表管理サーバ（３）に指示するデータ操作指示過程（ステップＳ２５０、Ｓ２５５）と、からなることを特徴とする部品表管理方法である。
【００１１】
請求項６に記載の発明は、請求項５に記載の部品表管理方法であって、前記編集画面表示過程（ステップＳ２２５、Ｓ２３０）において、前記マトリックスを表示した状態で、前記マトリックス上に子製品を追加または削除する親製品のための列を編集した結果を表示し、前記データ操作指示過程（ステップＳ２５０、Ｓ２５５）において、前記マトリックスを表示した状態で、子製品を追加または削除する前記親製品のための列に当該親製品を構成する子製品を編集させ、この編集に基づく部品表データの変更を前記部品表管理サーバ（３）に要求する、ことを特徴とする。
【００１２】
請求項７に記載の発明は、親製品のデータと前記親製品を構成する子製品のデータとを関連付けて保持する部品表データを記憶する部品表管理サーバ（３）と、前記部品表管理サーバ（３）とはネットワークにより接続され、前記部品表データの表示に関する画面の制御を行うポータルサーバ（２）とからなる部品表管理システムの前記ポータルサーバ（２）に用いられる部品表管理方法であって、同一のグループに属する製品について前記部品表管理サーバ（３）より取得した部品表データを、前記子製品に対応する見出しデータを重複なく行方向に、前記親製品に対応する見出しデータを列方向に配置し、前記子製品に対応する見出しデータと前記親製品に対応する見出しデータとに対応するマトリックス上のセルには、当該親製品を構成する当該子製品の数量データを配置するように表示するデータ表示過程（ステップＳ１４５、Ｓ１５０）と、親製品の属するグループ及び当該親製品を構成する子製品を編集させるための編集フィールドを表示する編集画面表示過程（ステップＳ４１５）と、新規あるいは既存の親製品が属するグループ、及び、当該親製品を構成する子製品を前記編集フィールドに編集させ、この編集に基づく部品表データの更新を前記部品表管理サーバ（３）に指示するデータ操作指示過程（ステップＳ４３５、Ｓ４４０）と、からなることを特徴とする部品表管理方法である。
【００１３】
請求項８に記載の発明は、請求項５から請求項７のいずれかの項に記載の部品表管理方法であって、前記子製品に対応する見出しデータを列方向に、前記親製品に対応する見出しデータを行方向に配置する、ことを特徴とする。
【００１４】
請求項９に記載の発明は、親製品のデータと前記親製品を構成する子製品のデータとを関連付けて保持する部品表データを記憶する部品表管理サーバ（３）と、前記部品表管理サーバ（３）とはネットワークにより接続され、前記部品表データの表示に関する画面の制御を行うポータルサーバ（２）とからなる部品表管理システムの前記ポータルサーバ（２）に用いられるコンピュータプログラムであって、同一のグループに属する製品について前記部品表管理サーバ（３）より取得した部品表データを、前記子製品に対応する見出しデータを重複なく行方向に、前記親製品に対応する見出しデータを列方向に配置し、前記子製品に対応する見出しデータと前記親製品に対応する見出しデータとに対応するマトリックス上のセルには、当該親製品を構成する当該子製品の数量データを配置するように表示するデータ表示ステップ（ステップＳ１４５、Ｓ１５０）と、前記マトリックスを表示した状態で、前記マトリックス上に新規の親製品のための列を編集した結果を表示する編集画面表示ステップ（ステップＳ２２５、Ｓ２３０）と、前記マトリックスを表示した状態で、前記新規の親製品のための列に当該新規の親製品を構成する子製品を編集させ、この編集に基づく部品表データの登録を前記部品表管理サーバ（３）に指示するデータ操作指示ステップ（ステップＳ２５０、Ｓ２５５）と、の各処理をコンピュータに実行させることを特徴とするコンピュータプログラムである。
【００１５】
請求項１０に記載の発明は、請求項９に記載のコンピュータプログラムであって、前記編集画面表示ステップ（ステップＳ２２５、Ｓ２３０）において、前記マトリックスを表示した状態で、前記マトリックス上に子製品を追加または削除する親製品のための列を編集した結果を表示し、前記データ操作指示ステップ（ステップＳ２５０、Ｓ２５５）において、前記マトリックスを表示した状態で、子製品を追加または削除する前記親製品のための列に当該親製品を構成する子製品を編集させ、この編集に基づく部品表データの変更を前記部品表管理サーバ（３）に要求する、ことを特徴とする。
【００１６】
請求項１１に記載の発明は、親製品のデータと前記親製品を構成する子製品のデータとを関連付けて保持する部品表データを記憶する部品表管理サーバ（３）と、前記部品表管理サーバ（３）とはネットワークにより接続され、前記部品表データの表示に関する画面の制御を行うポータルサーバ（２）とからなる部品表管理システムの前記ポータルサーバ（２）に用いられるコンピュータプログラムであって、同一のグループに属する製品について前記部品表管理サーバ（３）より取得した部品表データを、前記子製品に対応する見出しデータを重複なく行方向に、前記親製品に対応する見出しデータを列方向に配置し、前記子製品に対応する見出しデータと前記親製品に対応する見出しデータとに対応するマトリックス上のセルには、当該親製品を構成する当該子製品の数量データを配置するように表示するデータ表示ステップ（ステップＳ１４５、Ｓ１５０）と、親製品の属するグループ及び当該親製品を構成する子製品を編集させるための編集フィールドを表示する編集画面表示ステップ（ステップＳ４１５）と、新規あるいは既存の親製品が属するグループ、及び、当該親製品を構成する子製品を前記編集フィールドに編集させ、この編集に基づく部品表データの更新を前記部品表管理サーバ（３）に指示するデータ操作指示ステップ（ステップＳ４３５、Ｓ４４０）と、の各処理をコンピュータに実行させることを特徴とするコンピュータプログラムである。
【００１７】
請求項１２に記載の発明は、請求項９から請求項１１のいずれかの項に記載のコンピュータプログラムであって、前記子製品に対応する見出しデータを列方向に、前記親製品に対応する見出しデータを行方向に配置する、ことを特徴とする。
なお、本欄において参照している「（符号）」は、後述する欄（発明を実施するための最良の形態）において対応する構成を例示するのみで、何ら特許請求の範囲の各請求項の解釈を限定するものではない。
【発明の効果】
【００１８】
上記発明によれば、部品表データの表示機能及び部品表データの編集機能を、部品表を管理する部品表管理サーバではなく、クライアント端末と部品表管理サーバとの間にあるポータルサーバに備えるため、部品表管理サーバとポータルサーバとを独立して開発することが容易になる。すなわち、ポータルサーバへの機能追加を考慮せずに、部品表管理サーバへの機能変更を行うことが出来る。また、部品表管理サーバに変更を加えることなく、部品表データの表示あるいは編集のための画面デザインを変更することができる。
また、ユーザは、登録済みの他の親製品の部品表データのマトリックス表示を参照しながら、新規の親製品の追加や親製品を構成する子製品のデータの編集が出来るため、効率的に部品表データの編集作業を行うことが可能となる。
【発明を実施するための最良の形態】
【００１９】
以下、図面を参照し、この発明の一実施形態について説明する。
図１は、本発明の一実施形態による部品表管理システムの構成を示す。
部品表管理システムは、クライアント端末１、ポータルサーバ２、及び、部品表管理サーバとしてのアプリケーションサーバ３を、インターネットなどの公衆網やＬＡＮ（Local Area Network）などの私設網などからなるネットワークを介して接続してなる。アプリケーションサーバ３は、部品表（以下、「部品表」を「ＢＯＭ」と記載、ＢＯＭ：Bill Of Materials）を内部に保持しており、このＢＯＭを用いてアプリケーションを提供する。ＢＯＭとは、製品がどの製品や半製品などの構成部品から構成されるのかの関係を示したリストをいう。
【００２０】
図２は、ＢＯＭの概念を示す図である。企業が構成部品の少し異なるだけの複数の類似の製品を製造する場合、これらを１つのＢＯＭグループと見なす。そして、１つのＢＯＭグループに属するそれぞれの製品を「仕向」という。同図においては、「ドイツ向けポンプ」、「米国向けポンプ」、「日本向けポンプ」などの類似の製品、すなわち、仕向が、ＢＯＭグループ「ポンプ」に属している。そして、これらの仕向は、「ケーシング」、「はずみ車」、「シャフト組み立て品」等の構成部品により構成される。このとき、「ドイツ向けポンプ」、「米国向けポンプ」、「日本向けポンプ」を親製品、「ケーシング」、「はずみ車」、「シャフト組み立て品」などの構成部品を子製品という。そして、「ドイツ向けポンプ」、「米国向けポンプ」、「日本向けポンプ」には、同一の構成部品、すなわち、固定部品の「はずみ車」が使用される。一方、「ケーシング」や「シャフト組み立て品」には、「ドイツ向けポンプ」、「米国向けポンプ」、「日本向けポンプ」それぞれに異なる構成部品、すなわち、派系部品が使用される。さらに、「シャフト組み立て品」は、派系部品「ベアリング」及び固定部品「シャフト」から構成され、固定部品「シャフト」は、固定部品「スラグ」から構成される。
【００２１】
図３は、アプリケーションサーバ３の構成を示すブロック図であり、本発明と関係する機能ブロックのみ抽出して示してある。アプリケーションサーバ３は、ＢＯＭデータ記憶手段３１、通信手段３２、ＢＯＭデータ管理手段３３、及び、アプリケーション実行手段３７を備える。
ＢＯＭデータ記憶手段３１は、ＢＯＭデータを記憶している。ＢＯＭデータは、ＢＯＭグループに属する仕向の情報を示すＢＯＭグループ管理データ、及び、製品の構成部品の情報を示す品目データからなる。通信手段３２は、ネットワークと接続され、ポータルサーバ２とのデータの送受信を行う。アプリケーション実行手段３７は、ＢＯＭデータ記憶手段３１内のＢＯＭグループ管理データ及び品目データを用いて、例えば、生産管理やプロダクトライフサイクルマネージメントなどのアプリケーションを実行する。
【００２２】
ＢＯＭデータ管理手段３３は、入力受付手段３４、データ制御手段３５、及び、通知手段３６を備える。入力受付手段３４は、ＢＯＭグループ管理データあるいは品目データに対する登録、照会、更新、及び、削除などの操作指示を受信する。データ制御手段３５は、ＢＯＭデータ記憶手段３１内のＢＯＭグループ管理データあるいは品目データに対して、入力受付手段３４が受信した操作指示を実行する。通知手段３６は、ＢＯＭデータ記憶手段３１内のＢＯＭグループ管理データあるいは品目データから読み出した情報をポータルサーバ２へ通知する。
【００２３】
クライアント端末１は、例えば、パーソナルコンピュータやＰＤＡ（Personal Digital Assistants：情報携帯端末）、携帯電話などのコンピュータ端末であり、ネットワークを介してポータルサーバ２と通信する機能を有する。そして、ポータルサーバ２から受信した画面情報をディスプレイに表示したり、マウスやキーボード、ボタンなどにより入力されたデータをポータルサーバ２へ送信するためのブラウザを備える。
【００２４】
図４は、ポータルサーバ２の構成を示すブロック図であり、本発明と関係する機能ブロックのみ抽出して示してある。ポータルサーバ２は、通信手段２１、データ読出手段２２、データ表示手段２３、編集画面表示手段２４、及び、データ操作指示手段２５を備える。
通信手段２１は、ネットワークと接続され、クライアント端末１及びアプリケーションサーバ３とのデータの送受信を行う。データ読出手段２２は、アプリケーションサーバ３からＢＯＭグループ管理データあるいは品目データ内の情報を読み出す。データ表示手段２３は、データ読出手段２２がアプリケーションサーバ３から読み出した情報を表示するための画面情報を生成してクライアント端末１へ送信する。編集画面表示手段２４は、クライアント端末１からの要求により、アプリケーションサーバ３が保持するＢＯＭグループ管理データあるいは品目データに対する登録や変更などの操作指示を行うための画面情報を生成して返送する。データ操作指示手段２５は、クライアント端末１から受信したＢＯＭグループ管理データあるいは品目データへの操作指示に関する情報を受け、この情報に応じた操作指示をアプリケーションサーバ３へ送信する。
【００２５】
図５は、アプリケーションサーバ３のＢＯＭデータ記憶手段３１が保持するＢＯＭグループ管理データの構成例である。同図において、ＢＯＭグループ管理データは、プラントコード、ＢＯＭグループコード、ＢＯＭグループテキスト、ＢＯＭグループに属する仕向の品目コードの情報からなる。プラントコードは、企業内において製品を管理する組織の論理的な区分であるプラントを一意に識別する情報である。ＢＯＭグループコードは、ＢＯＭグループを一意に識別する情報である。ＢＯＭグループテキストは、ＢＯＭグループの説明等の情報である。品目コードは、製品を一意に識別する情報である。
【００２６】
図６は、アプリケーションサーバ３のＢＯＭデータ記憶手段３１が保持する品目データの構成例である。同図において、品目データは、親製品あるいは子製品の品目コード、品目の説明等を示す品目テキスト、基本数量単位、構成部品の情報からなる。構成部品の情報は、さらに、構成部品の品目コード及び数量の情報からなる。
【００２７】
図７は、ポータルサーバ２がクライアント端末１へ表示させるマトリックスＢＯＭ表示画面の画面イメージである。マトリックスＢＯＭ表示画面には、同じＢＯＭグループに属する仕向に割りつけられた品目コードを列の見出しに、これら仕向の構成部品の品目コード（構成品目コード）、品目テキスト（構成品目テキスト）及び基本数量単位を重複することなく行の見出しに表示する。そして、各仕向が使用する構成部品の数量を仕向の製品コード及び構成部品に対応するセルにマトリックス形式で表示する。
【００２８】
次に、部品表管理システムの動作について説明する。
図８は、ＢＯＭデータ表示処理の動作フローを示す。まず、ユーザは、クライアント端末１に、ＢＯＭデータを表示させたいＢＯＭグループのコードを入力し、実行ボタンを押す（ステップＳ１１０）。すると、クライアント端末１は、入力されたＢＯＭグループコードをポータルサーバ２へ通知する（ステップＳ１１５）。ポータルサーバ２のデータ読出手段２２は、クライアント端末１から受信したＢＯＭグループコードのＢＯＭグループに属する仕向の構成情報を呼び出すＢＯＭデータ呼び出しコマンドを生成し、アプリケーションサーバ３へ送信する（ステップＳ１２０、Ｓ１２５）。
【００２９】
アプリケーションサーバ３の入力受付手段３４は、ポータルサーバ２からＢＯＭデータ呼び出しコマンドを受信すると、データ制御手段３５に受け渡す。データ制御手段３５は、ＢＯＭデータ呼び出しコマンドで示されるＢＯＭグループコードによりＢＯＭデータ記憶手段３１内のＢＯＭグループ管理データを検索し、目的のＢＯＭグループに属する仕向の品目コードを読み出す（ステップＳ１３０）。さらに、データ制御手段３５は、ＢＯＭデータ記憶手段３１を参照し、これらの仕向の品目コードに対応するの品目データから、構成部品の品目コード及び数量を読み出すとともに、構成部品の品目データから品目テキスト及び基本数量単位を読み出す（ステップＳ１３５）。通知手段３６は、データ制御手段３５が読みだした各仕向の品目コードと、この仕向の構成部品の品目コード、数量、基本数量単位、及び、品目テキストとからなる構成情報の一覧をポータルサーバ２へ通知する（ステップＳ１４０）。
【００３０】
ポータルサーバ２は、指定されたＢＯＭグループに属する各仕向の構成情報の一覧をアプリケーションサーバ３から受信する。すると、ポータルサーバ２のデータ表示手段２３は、これら構成情報の一覧で示される構成部品の品目コード、品目テキスト、及び、基本数量単位からなる見出しデータを重複がないよう行方向に、仕向の品目コードからなる見出しデータを列方向に配置する。そして、構成部品に対応する見出しデータと仕向の品目コードによる見出しデータとに対応するマトリックス上のセルには、当該仕向を構成する当該構成部品の数量を表示するマトリックス形式のＢＯＭ表示画面（図７参照）の画面情報を生成し、クライアント端末１へ送信する（ステップＳ１４５、Ｓ１５０）。クライアント端末１は、ポータルサーバ２から受信したマトリックス形式のＢＯＭ表示画面情報を自身の備える画面に表示する（ステップＳ１５５）。
【００３１】
図１１は、図８のステップＳ１１０において、ＢＯＭデータを表示させたいＢＯＭグループのコードを入力するためのＢＯＭグループ入力画面である。ユーザは、クライアント端末１が表示するＢＯＭグループ入力画面のＢＯＭグループ入力フィールドにＢＯＭグループのコードを入力し、実行（Execute）ボタンを押す。
【００３２】
図９は、新規仕向登録処理の動作フローを示す。
ユーザは、新規に仕向を追加したいＢＯＭグループのコード、プラントのコード、及び、新規仕向の品目コードをクライアント端末１に入力し、実行ボタンを押す（ステップＳ２１０）。すると、クライアント端末１は、入力されたＢＯＭグループコード、プラントコード、及び、新規仕向の品目コードの情報からなる新規仕向追加情報をポータルサーバ２へ通知する（ステップＳ２１５）。ポータルサーバ２は、図８におけるステップＳ１２０〜ステップＳ１４０と同様の処理により、新規仕向を追加するＢＯＭグループに属する各仕向の構成情報一覧を読み出す（ステップＳ２２０）。ポータルサーバ２の編集画面表示手段２４は、読み出した構成情報一覧を基に、図８におけるステップＳ１４５と同様の手順により生成したマトリックス形式のＢＯＭ表示に、新規仕向の構成部品の情報を入力するための編集フィールドからなる列を追加したＢＯＭデータ編集画面情報を生成してクライアント端末１へ返送する（ステップＳ２２５）。クライアント端末１は、ポータルサーバ２から受信したＢＯＭデータ編集画面情報を表示する。これにより、ユーザは、新規に追加する仕向と同じＢＯＭグループの他の仕向の構成部品を参照しながら、追加された列、すなわち、編集フィールドに、新規仕向の構成部品の品目コード及び数量を入力する（ステップＳ２３５）。ユーザは、構成部品の入力を終了すると、登録ボタンを押下する（ステップＳ２４０）。クライアント端末１は、ＢＯＭグループコード、プラントコード、新規仕向の品目コード、ならびに、構成部品の品目コード及び数量からなるＢＯＭデータ登録情報をポータルサーバ２へ送信する（ステップＳ２４５）。
【００３３】
ポータルサーバ２のデータ操作指示手段２５は、ＢＯＭデータ登録情報を受信すると、新規仕向をアプリケーションサーバ３内のＢＯＭデータに登録するためのＢＯＭデータ登録コマンドを作成し、アプリケーションサーバ３へ送信する（ステップＳ２５０、Ｓ２５５）。ＢＯＭデータ登録コマンドは、ＢＯＭグループ管理データへの新規仕向の品目コードの登録と、指定された構成部品及び数量により構成される新規仕向の品目データの登録とを指示する。
【００３４】
アプリケーションサーバ３の入力受付手段３４は、ポータルサーバ２からＢＯＭデータ登録コマンドを受信すると、データ制御手段３５に受け渡す。データ制御手段３５は、受信したコマンドで指定されたＢＯＭグループコードに対応するＢＯＭデータ記憶手段３１内のＢＯＭグループ管理データへ、新規仕向の品目コードを書き込む。さらに、データ制御手段３５は、新規仕向の品目コードと、構成部品の品目コード及び数量との情報から品目データを生成してＢＯＭデータ記憶手段３１へ登録する（ステップＳ２６０）。
【００３５】
ＢＯＭデータの登録が終了すると、部品表管理システムは、図８のステップＳ１３０〜ステップＳ１５５と同様の処理により、新規仕向を追加したＢＯＭグループについて、マトリックスＢＯＭ表示画面を出力する（ステップＳ２６５〜ステップＳ２８５）。すなわち、アプリケーションサーバ３は、新規仕向を追加したＢＯＭグループに属する各仕向の構成情報一覧を読出し、ポータルサーバ２へ通知する。さらに、ポータルサーバ２は、受信した各仕向の構成情報からマトリックスＢＯＭ表示画面情報を生成し、クライアント端末１に送信する。ユーザは、クライアント端末１が表示するマトリックスＢＯＭ表示画面により、仕向の登録状況を知ることができる。
【００３６】
図１２は、図９のステップＳ２１０において、新規仕向を追加するＢＯＭグループのコード、プラントコード、及び、新規仕向の品目コードをクライアント端末１へ入力するための新規仕向入力画面の画面イメージを示す。
また、図１３は、図９のステップＳ２３５においてクライアント端末１に表示されるＢＯＭデータ編集画面の画面イメージを示す。同図では、図７に示すマトリックスＢＯＭ表示画面に対して、図１２において指定された新規仕向の品目コード及び新規仕向の構成部品を編集するための編集フィールドからなる列が追加されている。
【００３７】
なお、すでに登録されている仕向の構成部品の追加または削除、あるいは、数量の変更なども図９と同様の手順によって行う。
すなわち、ステップＳ２１０において、ユーザは、新規に追加する仕向の品目コードの代わりに、構成部品を変更する対象の仕向の品目コードをクライアント端末１へ入力する。ポータルサーバ２は、図９のステップＳ２２５において、変更対象の仕向の構成部品の情報を入力するための編集フィールドからなる列を追加したＢＯＭデータ編集画面情報を生成する。このとき、デフォルトで現在の構成部品の数量を編集フィールドに表示してもよい。
そして、ステップＳ２４５において、クライアント端末１は、ＢＯＭグループコード、プラントコード、変更対象の仕向の品目コード、ならびに、編集した構成部品の品目コード及び数量からなるＢＯＭデータ更新情報をポータルサーバ２へ送信する。ステップＳ２５０及びＳ２５５において、ポータルサーバ２は、ＢＯＭデータを更新するためのＢＯＭデータ編集コマンドを作成してアプリケーションサーバ３へ送信する。これにより、ステップＳ２６０において、アプリケーションサーバ３は、変更対象の仕向の品目コードに対応する品目データを、指定された構成部品の品目コード及び数量により更新する。
【００３８】
図１０は、新規ＢＯＭグループ登録処理の動作フローを示す。
ユーザは、新規に登録したいＢＯＭグループのコードと、この新規ＢＯＭグループが属するプラントのコード、新規ＢＯＭグループに登録する仕向の品目コードをクライアント端末１に入力し、実行ボタンを押す（ステップＳ３１０）。このとき、さらに、品目データのコピー元のとなる仕向の品目コードを入力してもよい。クライアント端末１は、入力された新規ＢＯＭグループコード、プラントコード、登録する仕向の品目コード、及び、品目データのコピー元となる仕向の品目コードの情報からなるＢＯＭグループ新規登録情報をポータルサーバ２へ通知する（ステップＳ３１５）。ポータルサーバ２のデータ操作指示手段２５は、受信したＢＯＭグループ新規登録情報で示される新規ＢＯＭグループコードをＢＯＭグループ管理テーブルに追加し、さらに、この新規ＢＯＭグループに登録する仕向の品目データを作成するためのＢＯＭグループ新規登録コマンドを生成して、アプリケーションサーバ３へ送信する（ステップＳ３２０、Ｓ３２５）。
【００３９】
アプリケーションサーバ３の入力受付手段３４は、ポータルサーバ２からＢＯＭグループ新規登録コマンドを受信すると、データ制御手段３５に受け渡す。データ制御手段３５は、ＢＯＭデータ記憶手段３１内のＢＯＭグループ管理データへ、受信したＢＯＭグループ新規登録コマンドで指定される新規ＢＯＭグループコード及び品目コードの組を登録する（ステップＳ３３０）。さらに、データ制御手段３５は、受信した仕向の品目コードに対応する品目データを生成して、ＢＯＭデータ記憶手段３１に登録する（ステップＳ３３５）。このとき、コピー元の品目コードが指定されている場合には、ＢＯＭデータ記憶手段３１からこのコピー元の品目コードに対応した品目データ内の品目テキスト及び構成部品情報を読み出して新に生成した品目データに設定する。
【００４０】
新たなＢＯＭグループへのＢＯＭデータの登録が終了すると、部品表管理システムは、図８のステップＳ１３０〜ステップＳ１５５と同様の処理により、登録した新規ＢＯＭグループについて、マトリックスＢＯＭ表示画面を出力する（ステップＳ３４０〜ステップＳ３６０）。すなわち、アプリケーションサーバ３は、登録した新規ＢＯＭグループに属する仕向の構成情報一覧を読出し、ポータルサーバ２へ通知する。さらに、ポータルサーバ２は、受信した仕向の構成情報からマトリックスＢＯＭ表示画面情報を生成し、クライアント端末１に送信する。ユーザは、クライアント端末１が表示するマトリックスＢＯＭ表示画面により、新規ＢＯＭグループ及び仕向の登録状況を知ることができる。
【００４１】
図１４は、図１０のステップＳ３１０において、クライアント端末１が表示する新規ＢＯＭグループ入力画面の画面イメージを示す。ユーザは、新規ＢＯＭグループ入力画面に、新規に登録するＢＯＭグループのコード、プラントのコード、ＢＯＭグループに登録する仕向の品目コード、及び、コピー元の仕向の品目コードを入力する。
【００４２】
次に、他の実施の形態による仕向編集手順について説明する。
図１５は、他の実施の形態による仕向編集処理の動作フローを示す。
まず、ユーザは、クライアント端末１からポータルサーバ２へアクセスする（ステップＳ４１０）。ポータルサーバ２の編集画面表示手段２４は、仕向の構成部品に関する情報を入力するための編集フィールドを持つ仕向編集画面の画面情報をクライアント端末１へ送信する（ステップＳ４１５）。
【００４３】
ユーザは、クライアント端末１が表示する仕向編集画面に、新規に追加する仕向あるいは構成部品の変更や構成部品の数量の変更を行う仕向のＢＯＭグループのコード、プラントのコード、追加あるいは変更対象の仕向の品目コード、ならびに、構成部品の品目コード及び数量をクライアント端末１に入力し、登録ボタンを押す（ステップＳ４２０、Ｓ４２５）。すると、クライアント端末１は、入力されたＢＯＭグループコード、プラントコード、仕向の品目コード、ならびに、構成部品の品目コード及び数量からなるＢＯＭデータ編集情報をポータルサーバ２へ送信する（ステップＳ４３０）。
【００４４】
ポータルサーバ２のデータ操作指示手段２５は、ＢＯＭデータ編集情報を受信すると、アプリケーションサーバ３内のＢＯＭデータを編集するためのＢＯＭデータ編集コマンドを作成し、アプリケーションサーバ３へ送信する（ステップＳ４３５、Ｓ４４０）。ＢＯＭデータ編集コマンドは、ＢＯＭグループ及び仕向の品目コードの組がＢＯＭグループ管理データ内に未登録である場合に、ＢＯＭグループにこの仕向の品目コードを新規に登録し、さらに、指定された構成部品及び数量により構成される品目データを登録するよう指示する。また、ＢＯＭグループ及び仕向の品目コードの組がＢＯＭグループ管理データ内に既に登録されている場合に、編集対象の仕向の品目データの内容を、指定された構成部品及び数量により更新するよう指示する。
【００４５】
アプリケーションサーバ３の入力受付手段３４は、ポータルサーバ２からＢＯＭデータ編集コマンドを受信すると、データ制御手段３５に受け渡す。データ制御手段３５は、受信したＢＯＭデータ編集コマンドで指定されるように、ＢＯＭデータ記憶手段３１内のＢＯＭデータを編集する（ステップＳ４４５）。
【００４６】
ＢＯＭデータの編集が終了すると、部品表管理システムは、図８のステップＳ１３０〜ステップＳ１５５と同様の処理により、編集した仕向の属するＢＯＭグループについて、マトリックスＢＯＭ表示画面を出力する（ステップＳ４５０〜ステップＳ４７０）。すなわち、アプリケーションサーバ３は、編集した仕向と同じＢＯＭグループに属する各仕向の構成情報一覧を読出し、ポータルサーバ２へ通知する。さらに、ポータルサーバ２は、受信した各仕向の構成情報からマトリックスＢＯＭ表示画面情報を生成し、クライアント端末１に送信する。ユーザは、クライアント端末１が表示するマトリックスＢＯＭ表示画面により、仕向の登録状況を知ることができる。
【００４７】
なお、図１５における仕向編集手順に先立ち、図８によるＢＯＭデータ表示処理を行うことにより、ＢＯＭ表示画面情報を表示させておいてもよい。この場合、クライアント端末１が最初にポータルサーバ２にアクセスしたとき、あるいは、ポータルサーバ２がクライアント端末１へＢＯＭ表示画面の画面情報を送信するときに仕向編集画面の画面情報を送信しておくことでもよい。
【００４８】
図１６は、図１５のステップＳ４２０において、編集する仕向のＢＯＭグループのコード、プラントコード、編集対象の仕向の品目コード、ならびに、構成部品の品目コード及び数量をクライアント端末１へ入力するための仕向編集画面の画面イメージを示す。ここでは、１つの構成部品の情報を入力するようになっているが、複数の構成部品の情報を入力させるようにしてもよい。
【００４９】
なお、上記実施の形態においては構成部品に対応する見出しデータを列方向に、仕向に対応する見出しデータを行方向に配置しているが、構成部品に対応する見出しデータを列方向に、仕向に対応する見出しデータを行方向に配置してもよい。このとき、ＢＯＭデータ編集画面には、仕向の構成部品の情報を入力するための編集フィールドからなる行が追加される。
【００５０】
以上説明したように、本実施の形態によれば、ＢＯＭデータの表示機能及び部品表データの編集機能を、アプリケーションサーバ３ではなく、クライアント端末１とアプリケーションサーバ３との間にあるポータルサーバ２に備えるため、アプリケーションサーバ３とポータルサーバ２とを独立して開発することが容易になる。すなわち、ポータルサーバ２への機能追加を考慮せずに、アプリケーションサーバ３の機能追加を行うことが出来る。また、アプリケーションサーバ３に変更を加えることなく、ＢＯＭデータ表示あるいは編集のための画面デザインを変更することができる。
また、ユーザは、登録済みの他の仕向のＢＯＭデータのマトリックス表示を参照しながら新規の仕向や仕向の品目データの編集が出来るため、効率的に編集作業を行うことが可能となる。
【００５１】
なお、上述のクライアント端末１、ポータルサーバ２、及び、アプリケーションサーバ３は、内部にコンピュータシステムを有している。そして、上述したクライアント端末１、ポータルサーバ２、及び、アプリケーションサーバ３の動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＯＳや周辺機器等のハードウェアを含むものである。
【００５２】
また、「コンピュータ読み取り可能な記録媒体」とは、ＲＯＭの他に、磁気ディスク、光磁気ディスク、ＣＤ−ＲＯＭ、ＤＶＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００５３】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００５４】
【図１】本発明の一実施の形態による部品表管理システムの構成図である。
【図２】同実施の形態によるＢＯＭ（部品表）の概念図である。
【図３】同実施の形態によるアプリケーションサーバの構成を示すブロック図である。
【図４】同実施の形態によるポータルサーバの構成を示すブロック図である。
【図５】同実施の形態によるＢＯＭグループ管理データの構成例を示す図である。
【図６】同実施の形態による品目データの構成例を示す図である。
【図７】同実施の形態によるマトリックスＢＯＭ表示画面の画面イメージを示す図である。
【図８】同実施の形態によるＢＯＭデータ表示処理の動作フローを示す図である。
【図９】同実施の形態による新規仕向登録処理の動作フローを示す図である。
【図１０】同実施の形態による新規ＢＯＭグループ登録処理の動作フローを示す図である。
【図１１】同実施の形態によるＢＯＭグループ入力画面の画面イメージを示す図である。
【図１２】同実施の形態による新規仕向入力画面の画面イメージを示す図である。
【図１３】同実施の形態によるＢＯＭデータ編集画面の画面イメージを示す図である。
【図１４】同実施の形態による新規ＢＯＭグループ入力画面の画面イメージを示す図である。
【図１５】他の実施の形態による仕向編集処理の動作フローを示す図である。
【図１６】他の実施の形態による仕向編集画面の画面イメージを示す図である。
【図１７】従来の部品表表示画面イメージを示す図である。
【符号の説明】
【００５５】
１・・・クライアント端末
２・・・ポータルサーバ
３・・・アプリケーションサーバ（部品表管理サーバ）
２１、３２・・・通信手段
２２・・・データ読出手段
２３・・・データ表示手段
２４・・・編集画面表示手段
２５・・・データ操作指示手段
３１・・・ＢＯＭデータ記憶手段
３３・・・ＢＯＭデータ管理手段
３４・・・入力受付手段
３５・・・データ制御手段
３６・・・通知手段
３７・・・アプリケーション実行手段
【図１】
2005293223.tif 000003
【図２】
2005293223.tif 000004
【図３】
2005293223.tif 000005
【図４】
2005293223.tif 000006
【図５】
2005293223.tif 000007
【図６】
2005293223.tif 000008
【図７】
2005293223.tif 000009
【図８】
2005293223.tif 000010
【図９】
2005293223.tif 000011
【図１０】
2005293223.tif 000012
【図１１】
2005293223.tif 000013
【図１２】
2005293223.tif 000014
【図１３】
2005293223.tif 000015
【図１４】
2005293223.tif 000016
【図１５】
2005293223.tif 000017
【図１６】
2005293223.tif 000018
【図１７】
2005293223.tif 000019